【手続補正書】
【提出日】平成15年8月13日(2003.8.13)
【手続補正１】
【補正対象書類名】明細書
【補正対象項目名】特許請求の範囲
【補正方法】変更
【補正の内容】
【特許請求の範囲】
【請求項１】
複数の書き込み面を有するシートを巻き込みながら書き込み面に描かれた画像を読み取って、その読み取り画像を画像処理する電子黒板において、巻き込み移動が可能なシートと、上記シートを巻き込み移動するシート巻き込み手段と、上記シート巻き込み手段により巻き込まれる上記シートの書き込み面に描かれた画像を読み取る読み取り手段と、を備え、
上記シートは、上記読み取り手段で読み取り可能な上記書き込み面と、上記読み取り手段で読み取り不可能な非書き込み面とを有し、上記非書き込み面は、投影光を投影する投影用スクリーン、又は、投影光をシート背面板に投影する投影開口を有することを特徴とする電子黒板。
【請求項２】
複数の書き込み面を有するシートを巻き込みながら書き込み面に描かれた画像を読み取って、その読み取り画像を画像処理する電子黒板において、巻き込み移動が可能なシートと、上記シートを巻き込み移動するシート巻き込み手段と、上記シート巻き込み手段により巻き込まれる上記シートの書き込み面に描かれた画像を読み取る読み取り手段と、を備え、
上記シートは、上記読み取り手段で読み取り可能な上記書き込み面と、上記読み取り手段で読み取り不可能な非書き込み面とを有し、上記非書き込み面は、投影光を投影する投影用スクリーンを有し、上記投影用スクリーンは、上記シートに着脱可能であることを特徴とする電子黒板。
【請求項３】
請求項２記載の電子黒板において、上記非書き込み面は、上記投影用スクリーンを着脱可能に保持する投影スクリーン保持手段を有することを特徴とする電子黒板。
【請求項４】
請求項１、２又は３記載の電子黒板において、上記非書き込み面が正面位置にくるまで上記シートを移動する第２モードを選択するモード選択手段を有することを特徴とする電子黒板。
【請求項５】
請求項１、２、３又は４記載の電子黒板において、上記非書き込み面の表面粗さを、書き込み面の表面粗さよりも粗くしたことを特徴とする電子黒板。
【請求項６】
請求項４記載の電子黒板において、上記モード選択手段は、上記シートの上記書き込み面が上記正面位置にくるまで上記シートを移動する第１モードを選択可能であり、第１モード選択時には、上記第２モード選択前に正面位置にあった書き込み面を正面位置に戻すことを特徴とする電子黒板。
【請求項７】
請求項４記載の電子黒板において、上記モード選択手段は、上記シートの上記書き込み面が上記正面位置にくるまで上記シートを移動する第１モードを選択可能であり、上記第２モード選択中に電源が遮断される際には非書き込み面を正面位置から退避させてから電源を遮断することを特徴とする電子黒板。
【手続補正２】
【補正対象書類名】明細書
【補正対象項目名】０００３
【補正方法】変更
【補正の内容】
【０００３】
図７と図８は従来の一般的な電子黒板の構成図であり、プレゼンテーションに際しての筆記と、筆記された面のコピーが出来る従来のこれらの電子黒板における、シート１０１に書き込まれた画面を読みとる読み取り手段１０３は、一方の巻き取り手段１０２ａにしか配置されないために、読み取り手段１０３の有る側のシート１０１の端部の黒板１面分の書き込み面１０１ａは読みとれるが、読み取り手段１０３の無い側のシート１０１の端の黒板１面分の、図示のハッチング部分の非書き込み面１０１ｂは、読み取り手段１０３では読み取れないので、例えば、シート面に（この面はコピー出来ません）と注意書きされているにもかかわらず、シート１０１に書き込まれた面がコピーが出来なくなると言う不具合が生じていた。即ち、シート１０１は両端部を夫々巻き取り手段１０２ａ、１０２ｂにより支持されて双方向に巻き取られるように構成されており、このシート１０１は連続した複数の書き込み面１０１ａと、左側端部に位置する書き込み面１０１ａに連設された非書き込み面１０１ｂとからなる。読み取り手段１０３は左側の巻き取り手段１０２ａに添った位置にのみ配置されている。このような電子黒板において左端に位置する書き込み面１０１ａと、それに続く他の書き込み面１０１ａについては読み取り手段１０３による読み取りが可能である。しかし、右端に位置する非書き込み面１０１ｂについては左側の巻き取り手段１０２ａによる巻き取りが不可能である為、読み取り手段による読み取りも不可能である。しかし、プレゼンテーション中に非書き込み面１０１ｂに書き込みを行い、この書き込み事項を複写したいという状況になった場合、複写は不可能となり、極めて不便であった。


【手続補正３】
【補正対象書類名】明細書
【補正対象項目名】０００５
【補正方法】変更
【補正の内容】
【０００５】
【課題を解決するための手段】上記目的を達成するために、請求項１の本発明は、複数の書き込み面を有するシートを巻き込みながら書き込み面に描かれた画像を読み取って、その読み取り画像を画像処理する電子黒板において、巻き込み移動が可能なシートと、上記シートを巻き込み移動するシート巻き込み手段と、上記シート巻き込み手段により巻き込まれる上記シートの書き込み面に描かれた画像を読み取る読み取り手段と、を備え、上記シートは、上記読み取り手段で読み取り可能な上記書き込み面と、上記読み取り手段で読み取り不可能な非書き込み面とを有し、上記非書き込み面は、投影光を投影する投影用スクリーン、又は、投影光をシート背面板に投影する投影開口を有することを主要な特徴とする。
請求項２の本発明は、複数の書き込み面を有するシートを巻き込みながら書き込み面に描かれた画像を読み取って、その読み取り画像を画像処理する電子黒板において、巻き込み移動が可能なシートと、上記シートを巻き込み移動するシート巻き込み手段と、上記シート巻き込み手段により巻き込まれる上記シートの書き込み面に描かれた画像を読み取る読み取り手段と、を備え、上記シートは、上記読み取り手段で読み取り可能な上記書き込み面と、上記読み取り手段で読み取り不可能な非書き込み面とを有し、上記非書き込み面は、投影光を投影する投影用スクリーンを有し、上記投影用スクリーンは、上記シートに着脱可能であることを主要な特徴とする。
請求項３の本発明は、請求項２記載の電子黒板において、上記非書き込み面は、上記投影用スクリーンを着脱可能に保持する投影スクリーン保持手段を有することを主要な特徴とする。
請求項４の本発明は、請求項１、２又は３記載の電子黒板において、上記非書き込み面が正面位置にくるまで上記シートを移動する第２モードを選択するモード選択手段を有することを主要な特徴とする。
請求項５の本発明は、請求項１、２、３又は４記載の電子黒板において、上記非書き込み面の表面粗さを、書き込み面の表面粗さよりも粗くしたことを主要な特徴とする。
請求項６の本発明は、請求項４記載の電子黒板において、上記モード選択手段は、上記シートの上記書き込み面が上記正面位置にくるまで上記シートを移動する第１モードを選択可能であり、第１モード選択時には、上記第２モード選択前に正面位置にあった書込み面を正面位置に戻すことを主要な特徴とする。
請求項７の本発明は、請求項４記載の電子黒板において、上記モード選択手段は、上記シートの上記書き込み面が上記正面位置にくるまで上記シートを移動する第１モードを選択可能であり、上記第２モード選択中に電源が遮断される際には非書き込み面を正面位置から退避させてから電源を遮断することを主要な特徴とする。


【手続補正４】
【補正対象書類名】明細書
【補正対象項目名】０００６
【補正方法】変更
【補正の内容】
【０００６】
【作用】上記のように構成された電子黒板は、請求項１においては、コピーが出来ないシートの面に書き込まれることを防止すると共に、投影用のスクリーンと兼用出来る電子黒板を提供することが出来るようにする。請求項２，３においては、コピーが出来ないシートの面に書き込まれることを防止すると共に交換可能な投影用のスクリーンと兼用出来る電子黒板を提供することが出来るようにする。請求項４によれば、任意に非書き込み面を正面位置に移動できる。請求項５においては、コピーが出来ないシートの面に書き込まれることを防止すると共に投影用の安価で見易いスクリーンと兼用出来る電子黒板を提供することが出来るようにする。請求項６においては、コピーが出来ないシートの面に書き込まれることを防止すると共に、第２モード選択前に正面位置にあった書込み面を正面位置に戻すことが出来る電子黒板を提供することが出来るようにする。請求項７においては、コピーが出来ないシートの面に書き込まれることを更に確実に防止出来る電子黒板を提供することが出来るようにする。
【手続補正５】
【補正対象書類名】明細書
【補正対象項目名】０００７
【補正方法】変更
【補正の内容】
【０００７】
【発明の実施の形態】次に、本発明の実施の形態を図面を参照して詳細に説明する。図１は本発明の一形態例の電子黒板の外観構成を示す斜視図、図２は主要構成要素の配置例を示す斜視図、図３は主要構成要素間の関係を示すブロック図、図４はモード選択手段の一例の構成図である。図１乃至図４において、電子黒板０の本体内には、横長のシート（書き込みシート）１に複数の書き込み面１ａが連続して設けられ、上記シート１がシート巻き込み手段２のステッピングモータ２ａにより回転駆動される２本の巻き取り軸２ｂ1 ，２ｂ2 によって双方向に巻き取られて収納されている。即ち、所定の間隔を隔てて立設された２本の巻き取り軸２ｂ1 ，２ｂ2 は、ベルト２Ａによって連結されて連動回転するように構成されている。一方の巻き取り軸２ｂ1 （駆動側軸）には、ステッピングモータ２ａの出力軸が固定され、電源０ａからの電源供給を受けて巻き取り軸２ｂ1 が回転駆動される。巻き取り軸２ｂ1 の周面に位置するシートと対面するように読み取り手段３が配置されており、巻き取り軸２ｂ1 によって巻き取られるシート面に形成された画像の読み取りを行う。シート１は巻き取り軸２ｂ1 に近い側から順次書き込み面１ａが複数個連続配置されると共に、他方の巻き取り軸２ｂ2 に最も近い側には非書き込み面１ｂが配置されている。シート１を巻き取り軸２ｂ1 側に完全に巻き取った状態では、非書き込み面１ｂが電子黒板の正面に位置した状態となる。モード選択手段４は、ＯＮすることにより書き込み面１ａを電子黒板の正面位置に順次移動させる為のモードである第１モードを選択する第１モード選択ボタン４ａと、ＯＮすることにより非書き込み面１ｂを電子黒板正面位置に移動させるモードである第２モードを選択する第２モード選択ボタン４ｂと、シートを順方向（巻き取り軸２ｂ2 から２ｂ1 へ向かう方向）へ送る送りボタン４ｃと、シートを戻し方向へ送る戻しボタン４ｄとを有する。


【手続補正６】
【補正対象書類名】明細書
【補正対象項目名】０００８
【補正方法】変更
【補正の内容】
【０００８】
上記第１モード選択ボタン４ａを押して第１モードを選択すると、コントローラ１１を介して、巻き上げ量検出部１１ａで上記シート１の巻き上げ量を検出しながら、上記シート１の読み取り手段３で読み取り可能な複数の上記書き込み面１ａの範囲内の任意の１面が上記電子黒板０の正面位置０ｂに来るまで、上記シート１は、ステッピングモータ２ａにより回転駆動される２本の上記巻き取り軸２ｂのうちの何れか一方に巻き取られて移動する。巻き上げ量検出部１１ａは、例えばシート面に形成した面間の境界を示す目印１Ａを読み取るフォトセンサであり、目印１Ａを読み取った信号を受けたコントローラ１１が巻き上げ量を判断する。上記第１モード選択ボタン４ａを押すことにより、第１モードの選択時には、上記コントローラ１１を介して、上記巻き上げ量検出部１１ａで上記シート１の巻き上げ量を検出しながら、第２モード選択前の書き込み面１ａを正面位置０ｂに戻すまで上記シート１は、ステッピングモータ２ａにより回転駆動される２本の上記巻き取り軸２ｂ1 、２ｂ2のうちの一方 に巻き取られて移動することにより、第２モード選択前に正面位置にあった書き込み面１ａを正面位置に、直ぐに、戻すことが出来る。即ち、ある時点で第２モードが選択されて非書き込み面１ｂが正面位置０ｂに位置し、その後で第１モード選択ボタン４ａが選択された場合には、第２モード選択ボタンが押される直前に正面位置にあった書き込み面１ａが正面位置に復帰するように制御される。


【手続補正７】
【補正対象書類名】明細書
【補正対象項目名】０００９
【補正方法】変更
【補正の内容】
【０００９】
送りボタン４ｃを押すと、上記シート１の上記読み取り手段３で読み取り可能な複数の上記書き込み面１ａの範囲内で上記シート１を巻き取って次ぎの上記書き込み面１ａが上記正面位置０ｂへ移動する。然し、戻しボタン４ｄを押すと、読み取り手段３で読み取り可能な複数の上記書き込み面１ａの範囲内で上記シート１を巻き戻して前の上記書き込み面１ａが上記正面位置０ｂへ移動する。上記正面位置０ｂへ移動した上記書き込み面１ａに書き込まれた画像は、操作パネル９上のコピーボタン９ａを押すことにより、上記コントローラ１１を介して、巻き上げ量検出部１１ａで上記シート１の巻き上げ量を検出しながら、一方の巻き取り軸２ｂ1 に巻き取られる過程で、上記読み取り手段３のリニアスキャナ装置により読み取られ、記録装置１０によって記録紙上にコピーされ、コピー受け１０ａに排出されると、共に、次の書き込み面１ａが正面位置０ｂに現れる。上記第２モード選択ボタン４ｂを押して第２モードを選択すると、上記コントローラ１１を介して、上記巻き上げ量検出部１１ａで上記シート１の巻き上げ量を検出しながら、上記シート１の上記読み取り手段３による読み取りが出来ない初め又は終わりの上記非書き込み面１ｂが上記正面位置０ｂに来るまで上記シート１は、ステッピングモータ２ａにより回転駆動される２本の上記巻き取り軸２ｂの何れか一方に巻き取られて移動するようになっている。なお、図示の形態例では、左側に位置する巻き取り軸２ｂ1 側に読み取り手段３を設けているので、シートの終わり（右端）に位置する画面が非書き込み面となっているが、読み取り手段を右側に設けた場合にはシートの初め（左端）に位置する画面が非書き込み面となる。従って、上記正面位置０ｂにきて停止したシート１の上記非書き込み面１ｂには、書き込まれることが防止され、オーバ・ヘッド・プロジェクターや液晶プロジェクターや映写機等の投影器５による投影光が投影される、上記書き込み面１ａの表面粗さよりも表面粗さを粗くした投影用スクリーンとしても使用される電子黒板を提供する事が出来るようになった。


【手続補正８】
【補正対象書類名】明細書
【補正対象項目名】００１０
【補正方法】変更
【補正の内容】
【００１０】
つまり、本発明では、書き込み画像のスキャンニングを行う必要がある場合には第１モード選択ボタン４ａのみを操作すればよく、このボタンを操作している限りは非書き込み面１ｂが正面位置に現れることがない。従って、非書き込み面に対する書き込みを防止することができる。また、非書き込み面１ｂは投影用スクリーンとしての利用が可能である。次に、本発明では第２モード選択時に、電子黒板の電源スイッチをＯＦＦしたときには自動的に第１モードに切り替わって書き込み面が正面位置に戻った状態で電源が切れるように制御する。上記モード選択手段４は、上記コントローラ１１を介して、上記巻き上げ量検出部１１ａで上記シート１の巻き上げ量を検出しながら、第２モード選択中に電源がＯＦＦされた時に、電源０ａを遮断する前に第１モードを選択するようになっている。即ち、上記電源０ａのスイッチをオフにしても、上記非書き込み面１ｂが投影用スクリーンとして上記正面位置０ｂに出ている場合には、巻き取り軸２ｂ1 ，２ｂ2 が逆転してシート１を少なくとも１面分巻き取り、上記非書き込み面１ｂの投影用スクリーンが正面位置から隠れるようにしてから電源が切れるようになっているから、上記非書き込み面１ｂの投影用スクリーンに書き込まれることが更に確実に防止される。


【手続補正９】
【補正対象書類名】明細書
【補正対象項目名】００１２
【補正方法】変更
【補正の内容】
【００１２】
【発明の効果】以上説明したように、請求項１の発明によれば、非書き込み面は、投影光を投影する投影用スクリーン、又は非書き込み面に投影光をシート背面板に投影する投影開口を有するようにしたので、コピーが出来ないシートの面に書き込まれることを防止すると共に巻き取りが出来ない板状の特殊なシート背面板の投影用スクリーンと兼用出来る電子黒板を提供することが出来るようになった。請求項２，３の発明によれば、シートを巻き込み移動するシート巻き込み手段により巻き込まれるシートの書き込み面に描かれた画像を読み取る読み取り手段で読み取り可能な書き込み面を正面位置にくるまでシートを移動する第１モード、又は、シートの上記読み取り手段で読み取りが出来ない初め又は終わりの非書き込み面を正面位置にくるまで上記シートを移動する第２モードをモード選択手段で選択すると共に非書き込み面に投影光を投影する投影用スクリーンを着脱可能に保持する投影スクリーン保持手段を有するようにしたので、コピーが出来ないシートの面に書き込まれることを防止すると共に交換可能な投影用のスクリーンと兼用出来る電子黒板を提供することが出来るようになった。投影用のスクリーンが汚れた場合等に交換したり、選択することができる。
【手続補正１０】
【補正対象書類名】明細書
【補正対象項目名】００１３
【補正方法】変更
【補正の内容】
【００１３】
請求項４，６，７の発明によれば、シートを巻き込み移動するシート巻き込み手段により巻き込まれるシートの書き込み面に描かれた画像を読み取る読み取り手段で読み取り可能な書き込み面を正面位置にくるまでシートを移動する第１モード、又は、シートの上記読み取り手段で読み取りが出来ない初め又は終わりの非書き込み面を正面位置にくるまで上記シートを移動する第２モードをモード選択手段で選択するようにしたので、コピーが出来ないシートの面に書き込まれることを防止する電子黒板を提供することが出来るようになった。つまり、書き込み画像のスキャンニングを行う必要がある場合には第１モード選択ボタンのみを操作すればよく、このボタンを操作している限りは非書き込み面が正面位置に現れることがない。従って、非書き込み面に対する書き込みを防止することができる。
【手続補正１１】
【補正対象書類名】明細書
【補正対象項目名】００１４
【補正方法】変更
【補正の内容】
【００１４】
請求項５の発明によれば、シートを巻き込み移動するシート巻き込み手段により巻き込まれるシートの書き込み面に描かれた画像を読み取る読み取り手段で読み取り可能な書き込み面を正面位置にくるまでシートを移動する第１モード、又は、シートの上記読み取り手段で読み取りが出来ない初め又は終わりの非書き込み面を正面位置にくるまで上記シートを移動する第２モードをモード選択手段で選択すると共に、非書き込み面を書き込み面の表面粗さよりも粗くなるようにしたので、コピーが出来ないシートの面に書き込まれることを防止すると共に投影用の安価で見易いスクリーンと兼用出来る電子黒板を提供することが出来るようになった。つまり、書き込み面を粗面化のない面とし、投影用の非書き込み面は粗面化したので、安価に投影用のスクリーンを形成することができた。請求項６の発明によれば、シートを巻き込み移動するシート巻き込み手段により巻き込まれるシートの書き込み面に描かれた画像を読み取る読み取り手段で読み取り可能な書き込み面を正面位置にくるまでシートを移動する第１モード、又は、シートの上記読み取り手段で読み取りが出来ない初め又は終わりの非書き込み面を正面位置にくるまで上記シートを移動する第２モードをモード選択手段で選択すると共にモード選択手段は第１モード選択時にはシートを最新の第２モード選択前の位置に戻すようにしたので、コピーが出来ないシートの面に書き込まれることを防止すると共に最新の第２モード選択時の上記書き込み面に、直ぐに、戻すことが出来る電子黒板を提供することが出来るようになった。即ち、ある時点で第２モードが選択されて非書き込み面が正面位置に位置し、その後で第１モード選択ボタンが選択された場合には、第２モード選択ボタンが押される直前に正面位置にあった書き込み面が正面位置に復帰するように制御される。このため、書き込み対象となるのは、常に書き込み面であり、非書き込み面に対する誤書き込みを防止できる。


【手続補正１２】
【補正対象書類名】明細書
【補正対象項目名】００１５
【補正方法】変更
【補正の内容】
【００１５】
請求項７の発明によれば、シートを巻き込み移動するシート巻き込み手段により巻き込まれるシートの書き込み面に描かれた画像を読み取る読み取り手段で読み取り可能な書き込み面を正面位置にくるまでシートを移動する第１モード、又は、シートの上記読み取り手段で読み取りが出来ない初め又は終わりの非書き込み面を正面位置にくるまで上記シートを移動する第２モードをモード選択手段で選択すると共にモード選択手段は電源を遮断する前に第１モードを選択するようにしたので、コピーが出来ないシートの面に書き込まれることを更に確実に防止出来る電子黒板を提供することが出来るようになった。つまり、第２モード選択時に電源スイッチをＯＦＦしたときには、第１モードに切り替わってから電源が切り替わるようにしたので、投影用のスクリーンを汚れにくくし、また誤書き込みを防止できる。